【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
排膿用カテーテルであって、
中央のルーメンを形成するとともに、遠位部および近位部を含む長尺状本体部材であって、同長尺状本体部材の少なくとも一部は、患者の体内に配置されるように構成される、前記長尺状本体部材と、
前記長尺状本体部材に作動可能に接続されるとともに前記ルーメンを通して前記長尺状本体部材の少なくとも近位部に延びる長尺状可撓性部材と、
ハブとを備え、同ハブは、
近位端、遠位端、および内部通路を有する基部であって、該近位端と該遠位端との間の外側表面と、該内部通路から該外側表面の開口部に延びる側面のルーメンとを有し、該外側表面は、係合要素および整合面部を含み、該基部の遠位端は、該長尺状本体部材の近位部に固定される、前記基部と、
近位端、遠位端、該近位端から該遠位端に延びる内側表面、および該近位端から該遠位端に延びる外側表面を有するカラーであって、同カラーは、該内側表面から該外側表面に延びる側面のルーメンをさらに有し、該カラーの該内側表面は、整合面部および対向要素を含み、該長尺状可撓性部材は、該基部の該側面のルーメンおよび該カラーの該側面のルーメンを通して延びる、前記カラーとを有し、
前記ハブは、該係合要素および該対向要素が係合しないロック解除位置、および該係合要素および該対向要素が係合するロック位置を有し、該カラーは該基部に締め付けられ、該長尺状可撓性部材は、該基部および該カラーの両整合面部間に留められることを特徴とする排膿用カテーテル。
【請求項２】
前記ハブは、前記基部および前記カラーを覆う外側ジャケットをさらに含み、前記外側ジャケットは、前記基部および前記カラーを受承する腔を有することを特徴とする請求項１に記載の排膿用カテーテル。
【請求項３】
前記外側ジャケットは遠位部をさらに含み、同遠位部は、遠位側に向かって先端ほど細くなるとともに前記基部および前記カラーの両遠位端を越えて遠位側に延びることを特徴とする請求項２に記載の排膿用カテーテル。
【請求項４】
前記基部の整合面は、第１の角度で先端ほど細くなるテーパ面を含み、前記カラーの整合面は、第２の角度で先端ほど細くなるテーパ面を含み、該第２の角度は該第１の角度より大きいことを特徴とする請求項１に記載の排膿用カテーテル。
【請求項５】
前記基部の整合面は前記基部の外側表面に配置される前記係合要素よりも遠位側にあり、前記カラーの整合面は前記カラーの内側表面に配置される対向要素よりも遠位側にあることを特徴とする請求項１に記載の排膿用カテーテル。
【請求項６】
前記基部の整合面および前記カラーの整合面は前記係合要素よりも近位側にあり、前記対向要素は前記基部の外側表面に配置される前記係合要素よりも遠位側にあり、前記カラーの整合面は前記カラーの内側表面に配置される前記対向要素よりも遠位側にあることを特徴とする請求項１に記載の排膿用カテーテル。
【請求項７】
前記長尺状可撓性部材は、前記ハブに固定される第１の端、前記基部の側面のルーメンおよび前記カラーの側面のルーメンを延びる第２の端部、並びに該第１の端および該第２の端部よりも先端側の中間部を有し、該中間部は、前記長尺状本体部材の前記先端部に作動的に接続されることを特徴とする請求項１に記載の排膿用カテーテル。
【請求項８】
前記長尺状可撓性部材および前記ハブの基端側への相対運動により、前記長尺状本体部材の前記先端部は変形することを特徴とする請求項１に記載の排膿用カテーテル。
【請求項９】
前記長尺状可撓性部材および前記ハブの基端側への相対運動により、前記長尺状本体部材の前記先端部はループを形成することを特徴とする請求項１に記載の排膿用カテーテル。
【請求項１０】
前記カラーが基部に締めつけられる場合に、前記長尺状可撓性部材とハブとの間の相対運動は可能ではなく、前記長尺状可撓性部材の一部は、前記カラーと前記基部との間に固定されることを特徴とする請求項１に記載の排膿用カテーテル。
【請求項１１】
前記基部の側面のルーメンに配置されるとともに流体が該側面のルーメンを通過して流れることを防止する弾性を備えたシールをさらに備えることを特徴とする請求項１に記載の排膿用カテーテル。
【請求項１２】
前記基部と前記カラーとの間に配置されるロック要素をさらに含むことを特徴とする請求項１に記載の排膿用カテーテル。
【請求項１３】
前記ロック要素はばねであることを特徴とする請求項１２に記載の排膿用カテーテル。
【請求項１４】
前記ロック要素は、前記基部の前記外側表面の腔に部分的に配置されることを特徴とする請求項１２に記載の排膿用カテーテル。
【請求項１５】
前記腔は、長手方向に延びるスロットであることを特徴とする請求項１４に記載の排膿用カテーテル。
【請求項１６】
前記ロック要素は、前記カラーと前記基部との間で部分的に圧縮されることを特徴とする請求項１２に記載の排膿用カテーテル。
【請求項１７】
前記係合要素および前記対向要素が係合しない場合に、前記ロック要素は前記カラーと前記基部との間で部分的に圧縮されることを特徴とする請求項１２に記載の排膿用カテーテル。
【請求項１８】
前記カラーは第１のロック腔を含み、同第１のロック腔は前記カラーが前記基部にロックされると、前記ロック要素を部分的に受承するように構成されることを特徴とする請求項１２に記載の排膿用カテーテル。
【請求項１９】
前記カラーは第２のロック腔を含み、同第２のロック腔は、前記係合要素および前記対向要素が係合しない場合に前記ロック要素を部分的に受承するように構成されることを特徴とする請求項１８に記載の排膿用カテーテル。
【請求項２０】
排膿用カテーテルであって、
遠位部および近位部を含む長尺状本体部材であって、同長尺状本体部材の少なくとも一部は、患者の体内に配置される、前記長尺状本体部材と、
前記長尺状本体部材の前記遠位部に作動的に連結されるとともにルーメンを通して前記長尺状本体部材の少なくとも近位部に延びる長尺状可撓性部材と、
ハブとを備え、同ハブは、
近位端、遠位端、および該近位端と該遠位端との間を延びる外側表面を有する基部であって、同基部は、該外側表面に配置されるねじ山をさらに含み、該外側表面は整合面部を有し、該基部の遠位端は前記長尺状本体部材の近位部に固定され、前記長尺状本体部材および前記基部は一体的に中央の器具ルーメンを形成する、前記基部と、
近位端、遠位端、および中央のルーメン、該近位端から該遠位端に延びる内側表面、該近位端から該遠位端に延びる外側表面、該内側表面に配置されるとともに該基部の該ねじ山と係合するように構成されるねじ山を有するカラーであって、該内側表面は整合面部を含み、該基部および該カラーの両整合面は不整合な外形を有するとともに、該カラーが対応する両ねじ山を使用して該ハブに締め付けられると両整合面が強制的に一体的となり該カラーを該基部にロックするように構成される、前記カラーとを有し、
前記長尺状可撓性部材は、該基部の該近位端よりも近位側の該中央の器具ルーメンを退出する近位部を有し、且つ前記カラーが前記基部にロックされると該長尺状可撓性部材の近位部が該基部と該カラーとの間に固定されるように該基部の該外側表面の少なくとも一部と該カラーの該内側表面との間に配置されることを特徴とする排膿用カテーテル。
【手続補正２】
【補正対象書類名】明細書
【補正対象項目名】発明の名称
【補正方法】変更
【補正の内容】
【発明の名称】排膿用カテーテル
【手続補正３】
【補正対象書類名】明細書
【補正対象項目名】０００７
【補正方法】変更
【補正の内容】
【０００７】
いくつかの実施形態において、排膿用カテーテルは、中央のルーメンを形成するとともに、遠位部および近位部を含む長尺状本体部材であって、長尺状本体部材の少なくとも一部は、患者の体内に配置されるように構成される、長尺状本体部材と、長尺状本体部材に作動可能に接続されるとともにルーメンを通して長尺状本体部材の少なくとも近位部に延びる長尺状可撓性部材と、ハブとを備える。ハブは、近位端、遠位端、および内部通路を有する基部であって、該近位端と該遠位端との間の外側表面と、該内部通路から該外側表面の開口部に延びる側面のルーメンとを有し、該外側表面は、係合要素および整合面部を含み、該基部の遠位端は、該長尺状本体部材の近位部に固定される、基部と、近位端、遠位端、該近位端から該遠位端に延びる内側表面、および該近位端から該遠位端に延びる外側表面を有するカラーであって、同カラーは、該内側表面から該外側表面に延びる側面のルーメンをさらに有し、該カラーの該内側表面は、整合面部および対向要素を含み、該長尺状可撓性部材は、該基部の該側面のルーメンおよび該カラーの該側面のルーメンを通して延びる、前記カラーとを有する。ハブは、該係合要素および該対向要素が係合しないロック解除位置、および該係合要素および該対向要素が係合するロック位置を有し、該カラーは該基部に締め付けられ、該長尺状可撓性部材は、該基部および該カラーの両整合面部間に留められる。